【事件の表示】
　特願２０１８−５１８８９４「フライバック電源，インバータ及び電動車両」拒絶査定不服審判事件〔平成２９年１１月３０日国際公開，ＷＯ２０１７／２０３６６６，請求項の数（４）〕について，次のとおり審決する。
【結　論】
　原査定を取り消す。
　本願の発明は，特許すべきものとする。
【理　由】
第１　手続の経緯
　本願は，２０１６年５月２６日を国際出願日とする出願であって，平成３１年４月２２日付けで拒絶理由通知がされ，令和１年６月２８日に意見書と手続補正書が提出され，令和１年８月２７日付けで拒絶査定（原査定）がされ，これに対し，令和１年１０月３０日に拒絶査定不服審判の請求がされると同時に手続補正がされ，令和２年８月１７日付けで拒絶理由通知（以下，「当審拒絶理由通知」という。）がされ，令和２年９月１１日に意見書と手続補正書が提出されたものである。
第２　原査定の概要
　原査定（令和１年８月２７日付け拒絶査定）の概要は次のとおりである。
　
　本願の請求項１, ２に係る発明は，以下の引用文献Ａ, Ｂ，Ｅ，Ｆに基づいて，本願の請求項３−４に係る発明は，以下の引用文献Ａ−Ｆに基づいて，その発明の属する技術の分野における通常の知識を有する者（以下，「当業者」という。）が容易に発明できたものであるから，特許法第２９条第２項の規定により特許を受けることができない。
　　　　　　　　　　　引　用　文　献　等　一　覧
Ａ.特開平０９−１９１３９号公報
Ｂ.特開平１０−１７４４３４号公報
Ｃ.特開平０７−２６４８５３号公報
Ｄ.特開２０１０−２８４０２９号公報
Ｅ.特開２０１６−０３６２４２号公報
Ｆ.特開２０１１−１８８７３８号公報
第３　当審拒絶理由の概要
　当審拒絶理由の概要は次のとおりである。
１）本願の請求項１，３，４に係る発明は，以下の引用文献１に記載された発明であるから，特許法第２９条第１項第３号に該当し，特許を受けることができない。
２）本願の請求項１−４に係る発明は，以下の引用文献１に基づいて，その発明の属する技術の分野における通常の知識を有する者が容易に発明できたものであるから，特許法第２９条第２項の規定により特許を受けることができない。
　　　　　　　　　　引　用　文　献　等　一　覧
１．特開昭６２−１９６０７１号公報
第４　本願発明
　本願請求項１ないし４に係る発明（以下，それぞれ「本願発明１」ないし「本願発明４」という。）は，令和２年９月１１日付けの手続補正で補正された特許請求の範囲の請求項１ないし４に記載された事項により特定される発明であり，以下のとおりのものである。
「　【請求項１】
　１次側巻線が互いに直接的に並列に接続された複数のトランスと、
　前記複数のトランスの１次側の電流のみをオン／オフするスイッチとを備え、
　各トランスの２次側巻線の個数は複数であり、
　前記複数の２次側巻線は、前記１次側の基準電位とは異なる基準電位を持つ個別の負荷にそれぞれ電力を供給し、
　前記スイッチがオンの時にコアに励磁エネルギーを蓄積し、前記スイッチがオフの時に前記１次側巻線に流れる１次側電流を介して直接的に並列に接続された前記トランスのコア間で前記励磁エネルギーを転送するように前記トランスが構成されることを特徴とする
フライバック電源。
　　【請求項２】
　前記複数のトランスの２次側巻線の個数が互いに異なることを特徴とする請求項１に記載のフライバック電源。
　　【請求項３】
　請求項１又は２に記載のフライバック電源を備えることを特徴とするインバータ。
　　【請求項４】
　請求項３に記載のインバータを備えることを特徴とする電動車両。」
第５　引用文献，引用発明等
１　引用文献１について
ア　本願の国際出願日前に頒布された，令和２年８月１７日付けの当審の拒絶の理由に引用された引用文献１（特開昭６２−１９６０７１号公報）には，図面とともに次の事項が記載されている。（下線は当審により付与。）
ａ　「〔産業上の利用分野〕
本発明はパワーデバイス駆動用電源に関し、特に、
相互に絶縁された複数の直流電源を使用するパワーデバイス駆動用電源
ｂ　「〔実施例〕
　以下、本発明に係るパワーデバイス駆動用電源の一実施例を図面に従って説明する。
　第１図は本発明に係る
パワーデバイス駆動用電源
１は直流電源、２はスイッチングトランジスタ、３はスイッチング制御回路、４は主電源部、５は第１のドライバ電源部、６は第２のドライバ電源部である
　
直流電源１
その電圧Ｅはスイッチングトランジスタ２並びに順方向の循環電流遮断用ダイオード４５，５５および６５を介して直列に接続された主電源部４における変圧器
Ｔ４の１次巻線Ｎ４１、第１のドライバ電源部５における変圧器
Ｔ５の１次巻線Ｎ５１および第２のドライバ電源部６における変圧器
Ｔ６の１次巻線Ｎ６１にそれぞれ印加されるようになされている
　
主電源部４における変圧器Ｔ４の２次側には２次巻線Ｎ４２およびＮ４３、並びに制御対象電源用２次巻線Ｎ４４が設けられており、それぞれの２次巻線に接続された整流用ダイオードおよび平滑用コンデンサ等により必要な直流電源が得られるようになされている
　
第１のドライバ電源部５における変圧器Ｔ５の２次側には２次巻線Ｎ５２およびＮ５３、並びに調整用巻線Ｎ５４が設けられており、これらの巻線にはそれぞれ整流用ダイオードおよび平滑用コンデンサが接続され必要な直流電源が得られるようになされている
　また、第１のドライバ電源部５おける変圧器Ｔ５の２次側には、前記制御対象用２次巻線Ｎ４４の出力電圧（例えば、ＤＣ５Ｖ）と等しくなるような巻線数の調整用巻線Ｎ５４が設けられている。この調整用巻線Ｎ５４には整流用ダイオードおよび平滑用コンデンサが接続され、制御対象用２次巻線Ｎ４４の出力に結合されている。これにより、第１のドライバ電源部５の２次巻線Ｎ５２およびＮ５３による出力電圧は定電圧化されることになり、また、これらの２次巻線Ｎ５２およびＮ５３の負荷が小さい場合には、変圧器Ｔ５のエネルギーが調整用巻線Ｎ５４から制御対象電源用２次巻線Ｎ４４の出力へ送出されるようになされている。
　
第２のドライバ電源部６は、前記第１の電源部５と全く同じ構成であり、変圧器Ｔ６の２次側には２次巻線Ｎ６２およびＮ６３、並びに調整用巻線Ｎ６４が設けられ
ｃ　「まず、
スイッチング制御回路３の駆動信号によりスイッチングトランジスタ２がオンすると、直流電源１の電圧Ｅは、順方向の循環電流遮断用ダイオード４５，５５および６５を介して変圧器Ｔ４の１次巻線Ｎ４１、変圧器Ｔ５の１次巻線Ｎ５１および変圧器Ｔ６の１次巻線Ｎ６ｌにそれぞれ印加される。これにより、変圧器Ｔ４の２次巻線Ｎ４２とＮ４３並びに制御対象電源用２次巻線Ｎ４４、変圧器Ｔ５の２次巻線Ｎ５２とＮ５３並びに調整用巻線Ｎ５４および変圧器Ｔ６の２次巻線Ｎ６２とＮ６３並びに調整用巻線Ｎ６４には、それぞれ・印側に正の電圧が誘起するが個々の巻線における整流用ダイオードは逆方向に挿入されているために導通しない。この状態では出力側への電力供給はないが、変圧器Ｔ４、変圧器Ｔ５および変圧器Ｔ６にエネルギーが蓄積する
　
一定期間経過後、スイッチングトランジスタ２がカット・オフすると、変圧器Ｔ４、変圧器Ｔ５および変圧器Ｔ６の極性は反転し、前記２次巻線Ｎ４２とＮ４３並びに制御対象電源用２次巻線Ｎ４４、２次巻線Ｎ５２とＮ５３並びに調整用巻線Ｎ５４および２次巻Ｎ６２とＮ６３並びに調整用巻線Ｎ６４に接続された整流用ダイオードはそれぞれ導通し、変圧器Ｔ４、変圧器Ｔ５および変圧器Ｔ６に蓄積されたエネルギーは平滑用コンデンサ並びにそれぞれの出力側に供給される
ｄ　「
　　　　　　　　　　　　　　　　　　　　　　　　　　　　　　　」
イ　上記ａないしｄの記載内容（特に，下線部を参照）からすると，上記引用文献１には次の発明（以下，「引用発明」という。）が記載されている。
「直流電源１，スイッチングトランジスタ２，スイッチング制御回路３，主電源部４，第１のドライバ電源部５，第２のドライバ電源部６からなる，相互に絶縁された複数の直流電源を使用することができるパワーデバイス駆動用電源において，
　直流電源１の電圧Ｅはスイッチングトランジスタ２並びに順方向の循環電流遮断用ダイオード４５，５５及び６５を介して直列に接続された主電源部４における変圧器Ｔ４の１次巻線Ｎ４１，第１のドライバ電源部５における変圧器Ｔ５の１次巻線Ｎ５１及び第２のドライバ電源部６における変圧器Ｔ６の１次巻線Ｎ６１にそれぞれ印加されるようになされており，
　主電源部４における変圧器Ｔ４の２次側には２次巻線Ｎ４２及びＮ４３，並びに制御対象電源用２次巻線Ｎ４４が設けられ, それぞれの２次巻線に接続された整流用ダイオードおよび平滑用コンデンサ等により必要な直流電源が得られるようになされており，
　第１のドライバ電源部５における変圧器Ｔ５の２次側には２次巻線Ｎ５２及びＮ５３，並びに調整用巻線Ｎ５４が設けられており，これらの巻線にはそれぞれ整流用ダイオードおよび平滑用コンデンサが接続され必要な直流電源が得られるようになされており，
　第２のドライバ電源部６における変圧器Ｔ６の２次側には２次巻線Ｎ６２及びＮ６３，並びに調整用巻線Ｎ６４が設けられており，これらの巻線にはそれぞれ整流用ダイオードおよび平滑用コンデンサが接続され必要な直流電源が得られるようになされているものであって，
　スイッチング制御回路３の駆動信号によりスイッチングトランジスタ２がオンすると，直流電源１の電圧Ｅが，順方向の循環電流遮断用ダイオード４５，５５及び６５を介して変圧器Ｔ４の１次巻線Ｎ４１，変圧器Ｔ５の１次巻線Ｎ５１及び変圧器Ｔ６の１次巻線Ｎ６ｌにそれぞれ印加され，変圧器Ｔ４の２次巻線Ｎ４２とＮ４３並びに制御対象電源用２次巻線Ｎ４４，変圧器Ｔ５の２次巻線Ｎ５２とＮ５３並びに調整用巻線Ｎ５４及び変圧器Ｔ６の２次巻線Ｎ６２とＮ６３並びに調整用巻線Ｎ６４には，それぞれ正の電圧が誘起されるが個々の巻線に整流用ダイオードが逆方向に挿入されているために導通せず，この状態では出力側への電力供給はされず，変圧器Ｔ４，変圧器Ｔ５及び変圧器Ｔ６にエネルギーが蓄積され，
　一定期間経過後に，スイッチングトランジスタ２がカット・オフすると，変圧器Ｔ４，変圧器Ｔ５及び変圧器Ｔ６の極性が反転し，前記２次巻線Ｎ４２とＮ４３並びに制御対象電源用２次巻線Ｎ４４，２次巻線Ｎ５２とＮ５３並びに調整用巻線Ｎ５４及び２次巻Ｎ６２とＮ６３並びに調整用巻線Ｎ６４に接続された整流用ダイオードはそれぞれ導通し，変圧器Ｔ４，変圧器Ｔ５及び変圧器Ｔ６に蓄積されたエネルギーは平滑用コンデンサ並びにそれぞれの出力側に供給される，　
　パワーデバイス駆動用電源。」
２　原査定における引用文献Ａについて
ア　本願の国際出願日前に頒布された，原査定の拒絶の理由に引用された引用文献Ａ（特開平０９−１９１３９号公報）には，関連する図面とともに，以下の技術的事項が記載されている。
ａ　「図２
　　　　　　　　　　　　　　　　　　　　　　　　　　　　　　　」
ｂ　図２によれば，１次側の巻線が互いに並列に接続された複数のトランスＡ，Ｂ，Ｃからなるフライバック電源において，トランスＡ，Ｂ，Ｃの２次側の巻線は単一のものであることが看取できる。
３　原査定における引用文献Ｂについて
ア　本願の国際出願日前に頒布された，原査定の拒絶の理由に引用された引用文献Ｂ（特開平１０−１７４４３４号公報）には，関連する図面とともに，以下の技術的事項が記載されている。
ａ　「図１
　　　　　　　　　　　　　　　　　　　　　　　　　　　　　　　　」
ｂ　図１によれば，フライバック変圧器１４は，単一の一次巻線１６に対して，複数の２次側出力を得るために複数の二次巻線１８，２０を備えていることが看取できる。
４　原査定における引用文献Ｃについて
ア　本願の国際出願日前に頒布された，原査定の拒絶の理由に引用された引用文献Ｃ（特開平０７−２６４８５３号公報）には，関連する図面とともに，以下の技術的事項が記載されている。　
ａ　「図１
　　　　　　　　　　　　　　　　　　　　　　　　　　　　　」
ｂ　図１によれば，複数のトランスの一次巻線が互いに直列に接続されていることが看取できる。
５　原査定における引用文献Ｄについて
ア　本願の国際出願日前に頒布された，原査定の拒絶の理由に引用された引用文献Ｄ（特開２０１０−２８４０２９号公報）には，関連する図面とともに，以下の技術的事項が記載されている。
ａ　「図２
　　　　　　　　　　　　　　　　　　　　　　　　　　　　　　　」
ｂ　図２によれば，複数のトランスの一次巻線が互いに直列に接続されていることが看取できる。
６　原査定における引用文献Ｅについて
ア　本願の国際出願日前に頒布された，原査定の拒絶の理由に引用された引用文献Ｅ（特開２０１６−０３６２４２号公報）には，関連する図面とともに，以下の技術的事項が記載されている。
ａ　「図１
　　　　　　　　　　　　　　　　　　　　　　　　　　　　　　　　」
ｂ　図１によれば，単一の１次巻線Ｗ１，及び２次巻線Ｗ２からなるトランスＴ１において，フォトカプラ２０４を介して制御信号が２次側から１次側に伝達されることが看取できる。
７　原査定における引用文献Ｆについて
ア　本願の国際出願日前に頒布された，原査定の拒絶の理由に引用された引用文献Ｆ（特開２０１１−１８８７３８号公報）には，関連する図面とともに，以下の技術的事項が記載されている。
ａ　「図９
　　　　　　　　　　　　　　　　　　　　　　　　　　　　　　　　」
ｂ　図９によれば，単一の１次巻線，及び２次巻線からなる変圧器７２において，絶縁要素を介して制御信号が２次側から１次側に伝達されることが看取できる。
第６　対比・判断
１　本願発明１について
（１）対比
　本願発明１と引用発明とを対比する。
ア　引用発明の「変圧器Ｔ４」，「変圧器Ｔ５」，及び「変圧器Ｔ６」は，本願発明１の「複数のトランス」に相当する。
　また，引用発明の「変圧器Ｔ４の１次巻線」，「変圧器Ｔ５の１次巻線Ｎ５１」及び「変圧器Ｔ６の１次巻線Ｎ６１」は，本願発明１の「１次側巻線」に相当する。
　そして，引用発明の「変圧器Ｔ４」，「変圧器Ｔ５」，及び「変圧器Ｔ６」は，各々が「直流電源１」に「直列に接続され」るものであり，「変圧器Ｔ４」，「変圧器Ｔ５」，及び「変圧器Ｔ６」は互いに並列に接続されているものと認められる。
　したがって，引用発明の「変圧器Ｔ４」，「変圧器Ｔ５」，及び「変圧器Ｔ６」と，本願発明１の「１次側巻線が互いに直接的に並列に接続された複数のトランス」とは，後記の点で相違するものの，“１次側巻線が互いに並列に接続された複数のトランス”の点で共通する。
イ　引用発明の「スイッチングトランジスタ２」は，「変圧器Ｔ４」，「変圧器Ｔ５」，及び「変圧器Ｔ６」の１次側に接続されている。また，１次側は，「直流電源１」，「スイッチングトランジスタ２」，「変圧器Ｔ４」，「変圧器Ｔ５」，及び「変圧器Ｔ６」から構成されており，「スイッチングトランジスタ２」は，「変圧器Ｔ４」，「変圧器Ｔ５」，及び「変圧器Ｔ６」の１次側の電流のみをオン・オフしているものと認められる。
　したがって，引用発明の「スイッチングトランジスタ２」は，本願発明１の「複数のトランスの１次側の電流のみをオン／オフするスイッチ」に相当する。
ウ　引用発明の「変圧器Ｔ４の２次側」の「２次巻線Ｎ４２及びＮ４３，並びに制御対象電源用２次巻線Ｎ４４」，「変圧器Ｔ５の２次側」の「２次巻線Ｎ５２及びＮ５３，並びに調整用巻線Ｎ５４」，及び「変圧器Ｔ６の２次側」の「２次巻線Ｎ６２及びＮ６３，並びに調整用巻線Ｎ６４」は，本願発明１の「各トランスの２次側巻線の個数は複数であり」，及び「複数の２次側巻線」に相当する。
　そして，引用発明は，「相互に絶縁された複数の直流電源を使用することができる」ものであるから，「変圧器Ｔ４の２次側」の「２次巻線Ｎ４２及びＮ４３，並びに制御対象電源用２次巻線Ｎ４４」，「変圧器Ｔ５の２次側」の「２次巻線Ｎ５２及びＮ５３，並びに調整用巻線Ｎ５４」は，「変圧器Ｔ４」，「変圧器Ｔ５」，及び「変圧器Ｔ６」の一次側の「直流電源１」の基準電位とは異なる基準電位を持つ個別の負荷にそれぞれ電力を供給できるものと認められる。
　
エ　通常，変圧器にはコアがあり，変圧器の巻線の励磁によるエネルギーはこのコアに蓄積されるものである。
　そして，引用発明は「スイッチング制御回路３の駆動信号によりスイッチングトランジスタ２がオンすると，直流電源１の電圧Ｅが，順方向の循環電流遮断用ダイオード４５，５５及び６５を介して変圧器Ｔ４の１次巻線Ｎ４１，変圧器Ｔ５の１次巻線Ｎ５１及び変圧器Ｔ６の１次巻線Ｎ６ｌにそれぞれ印加され，変圧器Ｔ４の２次巻線Ｎ４２とＮ４３並びに制御対象電源用２次巻線Ｎ４４，変圧器Ｔ５の２次巻線Ｎ５２とＮ５３並びに調整用巻線Ｎ５４及び変圧器Ｔ６の２次巻線Ｎ６２とＮ６３並びに調整用巻線Ｎ６４には，それぞれ正の電圧が誘起されるが個々の巻線に整流用ダイオードが逆方向に挿入されているために導通せず，この状態では出力側への電力供給はされず，変圧器Ｔ４，変圧器Ｔ５及び変圧器Ｔ６にエネルギーが蓄積され」るものである。
　してみると，引用発明の「変圧器Ｔ４」，「変圧器Ｔ５」，及び「変圧器Ｔ６」と，本願発明１の「前記スイッチがオンの時にコアに励磁エネルギーを蓄積し，前記スイッチがオフの時に前記１次側巻線に流れる１次側電流を介して直接的に並列に接続された前記トランスのコア間で前記励磁エネルギーを転送するように前記トランスが構成される」こととは，後記の点で相違するものの，“スイッチがオンの時にコアに励磁エネルギーを蓄積するように前記トランスが構成される”点では共通する。
オ　また，引用発明の「パワーデバイス駆動用電源」は，「スイッチング制御回路３の駆動信号によりスイッチングトランジスタ２がオンすると，直流電源１の電圧Ｅが，順方向の循環電流遮断用ダイオード４５，５５及び６５を介して変圧器Ｔ４の１次巻線Ｎ４１，変圧器Ｔ５の１次巻線Ｎ５１及び変圧器Ｔ６の１次巻線Ｎ６ｌにそれぞれ印加され，変圧器Ｔ４の２次巻線Ｎ４２とＮ４３並びに制御対象電源用２次巻線Ｎ４４，変圧器Ｔ５の２次巻線Ｎ５２とＮ５３並びに調整用巻線Ｎ５４及び変圧器Ｔ６の２次巻線Ｎ６２とＮ６３並びに調整用巻線Ｎ６４には，それぞれ正の電圧が誘起されるが個々の巻線に整流用ダイオードが逆方向に挿入されているために導通せず，この状態では出力側への電力供給はされず，変圧器Ｔ４，変圧器Ｔ５及び変圧器Ｔ６にエネルギーが蓄積され，一定期間経過後に，スイッチングトランジスタ２がカット・オフすると，変圧器Ｔ４，変圧器Ｔ５及び変圧器Ｔ６の極性が反転し，前記２次巻線Ｎ４２とＮ４３並びに制御対象電源用２次巻線Ｎ４４，２次巻線Ｎ５２とＮ５３並びに調整用巻線Ｎ５４および２次巻Ｎ６２とＮ６３並びに調整用巻線Ｎ６４に接続された整流用ダイオードはそれぞれ導通し，変圧器Ｔ４，変圧器Ｔ５及び変圧器Ｔ６に蓄積されたエネルギーは平滑用コンデンサ並びにそれぞれの出力側に供給される」ものであり，フライバック型の電源と認められることから，引用発明の「パワーデバイス駆動用電源」は，本願発明１の「フライバック電源」に相当する。
　したがって，本願発明１と引用発明との間には，以下の一致点と相違点とがある。
〈一致点〉
「１次側巻線が互いに並列に接続された複数のトランスと，
　前記複数のトランスの１次側の電流のみをオン／オフするスイッチとを備え，
　各トランスの２次側巻線の個数は複数であり，
　前記複数の２次側巻線は，前記１次側の基準電位とは異なる基準電位を持つ個別の負荷にそれぞれ電力を供給し，
　前記スイッチがオンの時にコアに励磁エネルギーを蓄積するように前記トランスが構成されるフライバック電源。」
〈相違点〉
「複数のトランス」が，本願発明１では「１次側巻線が互いに直接的に並列に接続され」，また，「前記スイッチがオフの時に前記１次側巻線に流れる１次側電流を介して直接的に並列に接続された前記トランスのコア間で前記励磁エネルギーを転送するように」「構成され」ているのに対し，引用発明では，「１次巻線Ｎ４１」，「１次巻線Ｎ５１」，「１次巻線Ｎ６１」は「循環電流遮断用ダイオード４５，５５及び６５を介して」並列に接続されており，「スイッチングトランジスタ２」がオフの時にコア間で励磁エネルギーを転送しない点。
（２）相違点についての判断
　引用発明は「循環電流遮断用ダイオード４５，５５及び６５」を設けることで，上記引用文献１の上記ｃに「そして、変圧器Ｔ４の１次巻線Ｎ４１、変圧器Ｔ５の１次巻線Ｎ５ｌおよび変圧器Ｔ６の１次巻線Ｎ６１には、それぞれ直流電源１に対して順方向（スイッチングトランジスタ２がカットオフしたときに流れる電流に対しては逆方向）に循環電流遮断用ダイオード４５、５５および６５が挿入されているため、変圧器Ｔ４、変圧器Ｔ５および変圧器Ｔ６に蓄積されたエネルギーはそれぞれの１次巻線Ｎ４１、Ｎ５１、およびＮ６１を流れることはない。」と記載される効果を奏するものであって，引用発明において該「循環電流遮断用ダイオード４５，５５及び６５」を取り除いて，１次側巻線を互いに直接的に並列に接続させるに理由が存在しない。
　したがって，本願発明１は，当業者であっても引用発明に基づいて容易に発明できたものであるとはいえない。
２　本願発明２ないし４について
　本願発明２ないし４は，本願発明１を更に限定したものであるので，同様に，当業者であっても引用発明に基づいて容易に発明をすることができたものであるとはいえない。
　　
第７　原査定について
　令和２年９月１１日付けの補正により，補正後の請求項１は，「複数のトランス」が，「１次側巻線が互いに直接的に並列に接続され」，また，「前記スイッチがオフの時に前記１次側巻線に流れる１次側電流を介して直接的に並列に接続された前記トランスのコア間で前記励磁エネルギーを転送するように」「構成され」るという構成を有するものとなった。当該構成を「各トランスの２次側巻線の個数は複数」であるものにおいて有することは，原査定における引用文献ＡないしＦには記載されておらず，本願出願日前における周知技術でもないので，本願発明１ないし４は、当業者であっても，原査定における引用文献ＡないしＦに基づいて容易に発明できたものではない。したがって，原査定を維持することはできない。
第８　当審拒絶理由について
１　特許法第２９条第１項３号について
　上記「第６　対比・判断」の１　（１）で検討したとおり，令和２年９月１１日付けの手続補正により，本願発明１は，「複数のトランス」が，「１次側巻線が互いに直接的に並列に接続され」，また，「前記スイッチがオフの時に前記１次側巻線に流れる１次側電流を介して直接的に並列に接続された前記トランスのコア間で前記励磁エネルギーを転送するように」「構成され」るとの構成（以下，「相違点に係る構成」という。）を有することとなり，本願発明１と引用発明とは相違点に係る構成において相違するから，この拒絶の理由は解消した。
　　　
２　特許法第２９条第２項について
　上記「第６　対比・判断」の１　（２）で検討のとおり，令和２年９月１１日付けの手続補正により，本願発明１は，相違点に係る構成を有することとなり，そして，引用発明に基づいて，相違点に係る本願発明１の構成とすることは，当業者が容易になし得ることであるとはいえないから，この拒絶の理由は解消した。本願発明２ないし４についても同様である。
第９　むすび
　以上のとおり，原査定の理由によっては，本願を拒絶することはできない。
　また，他に本願を拒絶すべき理由を発見しない。
　よって，結論のとおり審決する。